(57)【要約】  本発明は、シューズ上側部分と、該シューズ上側部分に結合されたアウトソールと、踵シェルとを有しているシューズ（１）、特にスポーツシューズであって、踵シェル（４）が、シューズ着用者の踵を、少なくとも部分的に取り囲んでいる形式のものに関する。シューズを単純かつ廉価な手段で個人の要望に適合させることができるように、本発明では、踵シェル（４）が、シューズ上側部分（２）に交換可能に配置されていて、踵シェル（４）が、表面領域（５）内で少なくとも１つの突出部（６，７）または切欠を有していて、該突出部（６，７）または切欠が、シューズ上側部分（２）の切欠（８，９）または突出部と、踵シェル（４）のシューズ上側部分（２）内での形状接続的な固定のために協働しており、踵シェル（４）が、インサートソール（１０）に結合されていて、踵シェル（４）とインサートソール（１０）とが一体に形成されているようにした。
2009528864.tif 000002
【特許請求の範囲】
【請求項１】
シューズ上側部分（２）と、該シューズ上側部分（２）に結合されたアウトソール（３）と、踵シェル（４）とを有するシューズ、特にスポーツシューズであって、踵シェル（４）が、シューズ着用者の踵を少なくとも部分的に取り囲んでいる形式のものにおいて、踵シェル（４）が、シューズ上側部分（２）内に交換可能に配置されており、踵シェル（４）が、表面領域（５）内で少なくとも１つの突出部（６，７）または切欠を有していて、該突出部（６，７）または切欠が、シューズ上側部分（２）の切欠（８，９）または突出部と、踵シェル（４）のシューズ上側部分（２）内での形状接続的な固定のために協働しており、踵シェル（４）が、インサートソール（１０）に結合されていて、踵シェル（４）とインサートソール（１０）とが一体に形成されていることを特徴とする、シューズ。
【請求項２】
踵シェル（４）の、または踵シェル（４）内の少なくとも１つの突出部（６，７）または切欠が、シューズ上側部分（２）内の切欠（８，９）または突出部の形状に適合された形状を有している、請求項１記載のシューズ。
【請求項３】
２つの突出部（６，７）または切欠が、踵シェル（４）の側面領域内に配置されている、請求項１または２記載のシューズ。
【請求項４】
２つの突出部（６，７）または切欠が、シューズ着用者の足の踝の領域内に配置されている、請求項３記載のシューズ。
【請求項５】
各突出部（６，７）または各切欠が、シューズ（１）の側面の投影面で面積（ＡＶ）を有していて、該面積（ＡＶ）が、踵シェル（４）の側面の投影面の面積（ＡＦ）の少なくとも２５％、有利には少なくとも３３％を有している、請求項４記載のシューズ。
【請求項６】
踵シェル（４）の、もしくは踵シェル（４）内の少なくとも１つの突出部（６，７）または少なくとも１つの切欠が、縦長または実質的に楕円の形状を有している、請求項１から５までのいずれか１項記載のシューズ。
【請求項７】
踵シェル（４）の領域内、特に踵シェル（４）の側面領域内のみに、少なくとも１つの突出部（６，７）または少なくとも１つの切欠が配置されている、請求項１から６までのいずれか１項記載のシューズ。
【請求項８】
踵シェル（４）と、場合によってはインサートソール（１０）とが、少なくとも１つの別の突出部（１１）を有していて、該突出部（１１）が、地面の方向に向かって、シューズ上側部分（２）内の切欠を通って延びている、請求項１から７までのいずれか１項記載のシューズ。
【請求項９】
シューズ上側部分（２）および／またはアウトソール（３）および／または踵シェル（４）が、プラスチック、特に熱可塑性プラスチックの材料から成る、請求項１から８までのいずれか１項記載のシューズ。
【請求項１０】
プラスチックとして、ポリエチレン、ポリプロピレン、ポリブタン、ポリアミド、ポリウレタン、またはこれらのプラスチックのうち少なくとも２つのプラスチックからなる混合物が使用されている、請求項９記載のシューズ。
【発明の詳細な説明】
【技術分野】
【０００１】
本発明は、シューズ上側部分と、該シューズ上側部分に結合されたアウトソールと、踵シェルとを有しているシューズ、特にスポーツシューズであって、踵シェルが、シューズ着用者の踵を、少なくとも部分的に取り囲んでいる形式のものに関する。
【０００２】
このような種類のシューズ、特にスポーツシューズは一般的に公知である。着用者の足がシューズ内で確実な支持を得るために、少なくとも１つの踵シェルが設けられている。この場合、踵シェルは、着用者の足の踵を三次元的に取り囲む、もしくは収容する。踵シェルは、多くの場合シューズ内に、特に接着されて固く固定されている。
【０００３】
シューズの使用時に、着用者の足と踵シェルの間との摩擦によって摩耗が生じ、それによってシューズ自体の耐用期間が短くなってしまう。
【０００４】
さらに不利なのは、シューズと、特に踵シェルとを個人の視点によって加工成形することは、少なくともコストかからない形式では不可能なことである。オーダーメードされたシューズのような特別な場合を除けば、シューズ着用者は、市販の踵シェルの形に甘んじている。このことは、市販の踵シェルが敷革を使用する際に不都合である場合、さらに踵シェルの案内シャフトを高くすることが望ましい場合に特に不利である。
【０００５】
さらには、特に踵シェルの通気性や安定性に関して、シューズと、特に踵シェルとをシューズ着用者の特別な要望に適合させることは不可能であるか、または高い費用をかけた場合にのみ可能である。多くの場合、踵シェルの硬さもしくは軟らかさに関して、着用者は特別な要望を持っている。
【０００６】
ドイツ連邦共和国登録特許第１０２００４０１４８０７号明細書から、スキー靴のために、内側シューズを取り付けることが公知である。この内側シューズは、シューズの外側シェル内に交換可能に配置されている。この場合、この内側シューズは、種々異なる領域で外側に向けられた突出部を有している。この突出部が、スキー靴の切欠内に係合する。しかしながらここで開示された原理は、スキー靴の場合のような構造空間が使用できない、たとえばスポーツシューズに構造的に適していない。
【０００７】
したがって本発明の課題は、冒頭で述べた種類のシューズ、特にスポーツシューズを、上記の問題点が克服されるように改良することである。特に、単純かつ廉価な形式でシューズを個人の要望に適合することが可能になる。さらには、摩耗時にも、シューズ自体を継続して使用可能にする解決手段が提供される。この場合、シューズの機能性が制限されないことは重要な必要条件である。これは特にスポーツ、とりわけ競技スポーツでの使用で重要なことである。
【０００８】
この課題を解決するために本発明では、踵シェルが、交換可能にシューズ上側部分内に配置されているようにした。この場合、踵シェルは、表面領域に少なくとも１つの突出部または切欠を有している。この突出部または切欠は、シューズ上側部分の切欠または突出部と、踵シェルのシューズ上側部分内での形状接続式、つまり形状による束縛に基づいた固定のために協働する。この場合、踵シェルがインサートソールと結合されていて、踵シェルとインサートソールとは一体に形成されている。
【０００９】
踵シェルが、切欠を有していて、該切欠内に、シューズ上側部分の突出部が係合することも同様に可能である。突出部が踵シェルに配置されていて、シューズ上側部分の切欠内に係合するように規定されていると有利である。さらに踵シェルの少なくとも１つの突出部または少なくとも１つの切欠、もしくは踵シェル内の少なくとも１つの突出部または少なくとも１つの切欠が、シューズ上側部分内の切欠もしくは突出部の形状に適合した形状を有していると有利である。別の実施形態では、２つの突出部または切欠が踵シェルの側面領域に配置されている。この場合、２つの突出部もしくは切欠は、シューズ着用者の足の踝の領域に配置されている。
【００１０】
シューズ上側部分内で踵シェルを良好にかつ圧力が少ないように固定するためには、シューズの側面の投影面内の各突出部または各切欠が、踵シェルの側面の投影面の面積の少なくとも２５％、有利には少なくとも３３％を占める面積を有していることによって達成される。
【００１１】
踵シェルの少なくとも１つの突出部もしくは少なくとも１つの切欠、もしくは踵シェル内の少なくとも１つの突出部もしくは少なくとも１つの切欠は、縦長または実質的に楕円の形状を有していてよい。これによって、シューズ長手方向に対して交差する水平方向軸線を中心とした、シューズ上側部分に相対的な踵シェルの回転が阻止される。
【００１２】
踵シェルの領域、特に踵シェルの側面領域にのみ、少なくとも１つの突出部または少なくとも１つの切欠が配置されていると特に有利である。
【００１３】
本発明の別の実施形態では、踵シェルと、場合によってはインサートソールとが、少なくとも１つの別の突出部を有している。この別の突出部は、地面の方向に向かって、シューズ上側部分内の切欠を通過して延在していてよい。
【００１４】
シューズ上側部分および／またはアウトソールおよび／または踵シェルが、プラスチック、特に熱可塑性プラスチックの材料から成っていると有利である。この場合、特にポリエチレン、ポリプロピレン、ポリブタン、ポリアミド、ポリウレタン、またはこれらのプラスチックのうち少なくとも２つのプラスチックから成る混合物が考えられる。
【００１５】
シューズ上側部分は、本発明の意図において、踵シェル、有利には踵シェルに結合されたインサートソールが取り付けられるシャーシ（枠）であるといえる。シューズ上側部分は、硬い材料からも、軟らかい材料からも形成することができる。シューズ上側部分は、射出成形法で製作されるか、または少なくとも予め形成されていると特に有利である。この場合プラスチックだけでなく従来のシューズ材料（革、織布等）が使用される。
【００１６】
本発明により提案された構成では、摩耗時に踵シェルを交換することが簡単な形式で可能であり、それによってシューズを継続的に使用することが可能である。これは、特にスポーツシューズのような高価格セグメントでは大きな利点となる。
【００１７】
さらに、シューズを個人的に適合させることができる、つまり、特別な要望に適合させた踵シェルをシューズ上側部分に取り付けることができる。このためには、踵シェルだけが適合される必要があり、シューズ自体の変形は必要ない。これによって、従来と比べて極めて廉価にされた形式で、着用者の要望に適合したシューズ、特にスポーツシューズを実現することができる。
【００１８】
これは特にシューズ着用者が敷革を必要とする場合に有利である。この場合、シューズ（上側部分）自体が変形する必要なく、敷革の使用のために踵シェルを最適に形成することができる。特に、踵シェルの高さを、使用する敷革によって最適に選択することができる。
【００１９】
したがって、シューズの適合形状を着用者の足に合わせて理想的に設計することができる。
【００２０】
別の利点は、本発明による解決手段では、材料の選択を自由に行うことができ、それによって所望の材料を使用できることである。この場合、シューズ上側部分の材料と、踵シェルの材料とは、たとえばシューズの所望の安定性や通気性が得られるように個人の希望に適合される。
【００２１】
以下に本発明の実施例を図面につき詳しく説明する。図１は、スポーツシューズの側面図であり、図２は、図１に示したスポーツシューズを踵シェルがない状態でアウトソールと一緒に示した側面図であり、図３は、図２に示したシューズ上側部分の中に取り付けられる踵シェルを、該踵シェルと一体に結合されたインサートソールと一緒に示した側面図であり、図４は、図３に示ししたシューズ上側部分に取り付けようとする、インサートソールなしに形成した踵シェルの側面図であり、図５は、図１のＡ−Ｂの線に沿った断面図である。
【００２２】
図１は、スポーツシューズ１を側面から見た図である。このスポーツシューズ１は、公知の形式でシューズ上側部分２を有している。このシューズ上側部分２は、表底もしくはアウトソール３と結合している。
【００２３】
シューズ上側部分２には、踵シェル（内側シェル）４が、交換可能に取り付けられている。踵シェル４は、取り付けられた状態でシューズ上側部分２の上側を超えて延在している。つまり踵シェル４が、対応するシャフト１２を有している。シャフト１２の延在長さは、シューズ１の着用者の要望によって、足の最適な案内もしくは姿勢が保証されるように選択されている。
【００２４】
図２には、踵シェル４が取り付けられていないシューズ上側部分２が示されていて、図３には、踵シェル４自体が示されている。踵シェル４が、シューズ上側部分２内に取り付けられた状態で、シューズ上側部分２内に固定されて確実に設置されているように、シューズ上側部分２は切欠８，９を有している。この切欠８，９は、シューズ上側部分２の踝領域の両側に配置されている。この切欠８，９もしくは切抜きの形状に応じて、踵シェル４は、その表面領域５（図５参照）の両方の側面領域内に、踵シェル４の基本輪郭から突出させられた突出部６，７を有している。この突出部６，７の形状は、切欠８，９の形状に一致している。
【００２５】
図５からは、突出部６，７が、シューズ１の外側で十分に邪魔にならない輪郭が得られる、つまり実質的に平坦な経過が得られるように、切欠８，９内に係合することが判る。突出部６，７は、図１から判るように、突出部６，７の面積が、切欠８，９の面積に一致するように形成されているだけではない。さらには、突出部６，７の高さが、シューズ１の側面領域で十分に同一平面の面を得られるように選択されている。
【００２６】
図３からは、踵シェル４が、インサートソール（Einlegesohle）１０と結合されていることが判る。本発明の場合、踵シェル４とインサートソール１０は１つの部分から成っている。このような構成は、踵シェル４の交換によって、必要に応じてインサートソールも取り替えられる、もしくは個人的な要望に適合させることができるので有利である。
【００２７】
図３には破線によって、インサートソール１０の下側に、アウトソール部分の形の別の突出部１１が配置されていてよいことが示されている。このアウトソール部分は、たとえばインサートソールに一体に射出成形されている。シューズ上側部分２の底領域もしくはアウトソール３には、切欠（図示せず）が配置されていてよい。この切欠内を突出部１１が通過し、それによってアウトソールの一部を形成する。突出部１１は、対応している切欠に対して精度よく適合して形成されていて、所望の場合には下側からシューズ内に水分が進入することを阻止するためのシール手段を有していてよい。
【００２８】
図４には、本発明の択一的な構成による踵シェル４の側面図が示されている。該踵シェル４に配置されたインサートソール１０は図示されていない。図３と図４とを比較することで、踵シェル４の延在長さがどれほど大きいか、またインサートソールが、どこから開始しているかが判る。
【００２９】
重要なのは、突出部６，７、もしくは対応する切欠８，９の面積がどのように選択されているかである。一方で、シューズ上側部分２内で、シューズ長手方向に対して交差している水平方向軸線を中心とした捻り運動に十分に耐える踵シェル４の確実な支持が保証され、他方では、シューズ１の着用者の踝領域に側方からの圧力を加えないようにするために、以下のように規定されている。
【００３０】
突出部６，７もしくは切欠８，９が、非円形、つまり縦長または楕円に形成されている。さらに、図４から判るように、突出部６，７の側面の投影面積ＡＶが、踵シェルの側面の投影面積ＡＦの少なくとも２５％を占める。面積ＡＶが、面積ＡＦの少なくとも３３％を占めると有利である。突出部６，７もしくは切欠８，９の形状は、突出部６，７もしくは切欠８，９の１つの周囲位置（つまり突出部６，７の下側の領域）で、上記の捻り運動を阻止する先端もしくは突起のような形状が設けられるように選択されていることが判る。
【００３１】
たとえば図１から判るように、突出部６，７もしくは切欠８，９は、シューズ１の長手方向で好ましくは踝領域全体にわたって延在している。
【図面の簡単な説明】
【００３２】
【図１】スポーツシューズの側面図である。
【図２】図１に示したスポーツシューズを、踵シェルがない状態でアウトソールと一緒に示した側面図である。
【図３】図２に示した、シューズ上側部分の中に取り付けられる踵シェルを、該踵シェルと一体に結合されたインサートソールと一緒に示した側面図である。
【図４】図３に示ししたシューズ上側部分に取り付けようとする、インサートソールなしに形成した踵シェルの側面図である。
【図５】図１の破線Ａ−破線Ｂの断面図である。
【符号の説明】
【００３３】
１  シューズ（スポーツシューズ）
２  シューズ上側部分
３  アウトソール
４  踵シェル
５  表面領域
６  突出部
７  突出部
８  切欠
９  切欠
１０  インサートソール
１１  突出部
１２  シャフト
ＡＶ  突出部／切欠の側面の投影面
ＡＦ  踵シェルの側面の投影面
【図１】
2009528864.tif 000003
【図２】
2009528864.tif 000004
【図３】
2009528864.tif 000005
【図４】
2009528864.tif 000006
【図５】
2009528864.tif 000007
【手続補正書】
【提出日】平成19年12月29日(2007.12.29)
【手続補正１】
【補正対象書類名】特許請求の範囲
【補正対象項目名】全文
【補正方法】変更
【補正の内容】
【特許請求の範囲】
【請求項１】
シューズ上側部分（２）と、該シューズ上側部分（２）に結合されたアウトソール（３）と、踵シェル（４）とを有するシューズ、特にスポーツシューズであって、踵シェル（４）が、シューズ着用者の踵を少なくとも部分的に取り囲んでおり、踵シェル（４）が、シューズ上側部分（２）内に交換可能に配置されており、踵シェル（４）が、表面領域（５）内で少なくとも１つの突出部（６，７）または切欠を有していて、該突出部（６，７）または切欠が、シューズ上側部分（２）の切欠（８，９）または突出部と、踵シェル（４）のシューズ上側部分（２）内での形状接続的な固定のために協働しており、踵シェル（４）が、インサートソール（１０）に結合されていて、踵シェル（４）とインサートソール（１０）とが一体に形成されている形式のものにおいて、２つの突出部（６，７）または切欠が、踵シェル（４）の側面領域内のみに配置されており、２つの突出部（６，７）または切欠が、シューズ着用者の足の踝の領域内に配置されていることを特徴とする、シューズ。
【請求項２】
踵シェル（４）の、または踵シェル（４）内の少なくとも１つの突出部（６，７）または切欠が、シューズ上側部分（２）内の切欠（８，９）または突出部の形状に適合された形状を有している、請求項１記載のシューズ。
【請求項３】
各突出部（６，７）または各切欠が、シューズ（１）の側面の投影面で面積（ＡＶ）を有していて、該面積（ＡＶ）が、踵シェル（４）の側面の投影面の面積（ＡＦ）の少なくとも２５％、有利には少なくとも３３％を有している、請求項１または２記載のシューズ。
【請求項４】
踵シェル（４）の、もしくは踵シェル（４）内の少なくとも１つの突出部（６，７）または少なくとも１つの切欠が、縦長または実質的に楕円の形状を有している、請求項１から３までのいずれか１項記載のシューズ。
【請求項５】
踵シェル（４）と、場合によってはインサートソール（１０）とが、少なくとも１つの別の突出部（１１）を有していて、該突出部（１１）が、地面の方向に向かって、シューズ上側部分（２）内の切欠を通って延びている、請求項１から４までのいずれか１項記載のシューズ。
【請求項６】
シューズ上側部分（２）および／またはアウトソール（３）および／または踵シェル（４）が、プラスチック、特に熱可塑性樹脂の材料から成る、請求項１から５までのいずれか１項記載のシューズ。
【請求項７】
プラスチックとして、ポリエチレン、ポリプロピレン、ポリブタン、ポリアミド、ポリウレタン、またはこれらのプラスチックのうち少なくとも２つのプラスチックからなる混合物が使用されている、請求項６記載のシューズ。
【手続補正２】
【補正対象書類名】明細書
【補正対象項目名】０００１
【補正方法】変更
【補正の内容】
【０００１】
本発明は、シューズ上側部分と、該シューズ上側部分に結合されたアウトソールと、踵シェルとを有するシューズ、特にスポーツシューズであって、前記踵シェルが、シューズ着用者の踵を少なくとも部分的に取り囲んでおり、前記踵シェルが、シューズ上側部分内に交換可能に配置されており、踵シェルが、表面領域内で少なくとも１つの突出部または切欠を有していて、該突出部または切欠が、シューズ上側部分の切欠または突出部と、踵シェルのシューズ上側部分内での形状接続的な固定のために協働しており、踵シェルが、インサートソールに結合されていて、踵シェルとインサートソールとが一体に形成されている形式のものに関する。
【手続補正３】
【補正対象書類名】明細書
【補正対象項目名】０００２
【補正方法】変更
【補正の内容】
【０００２】
このような種類のシューズ、特にスポーツシューズは一般的に公知である。欧州特許庁公開特許第０８４１０１７号明細書、国際出願公開特許第２００４／１０３１０５号明細書、米国登録特許第６２２６８９８号明細書、および国際出願公開特許９６／１９１２７号明細書に言及されている。着用者の足が、シューズ内で確実な支持を得るために、少なくとも１つの踵シェルが設けられている。この場合、踵シェルは、着用者の足の踵を三次元的に取り囲む、もしくは収容する。踵シェルは、多くの場合シューズ内に、特に接着されて固く固定されている。
【手続補正４】
【補正対象書類名】明細書
【補正対象項目名】００１２
【補正方法】削除
【補正の内容】
【国際調査報告】
2009528864.tif 000008
2009528864.tif 000009
2009528864.tif 000010
2009528864.tif 000011
2009528864.tif 000012
2009528864.tif 000013